(57)【要約】【課題】携帯電話の画面に入力された状況報告と、音声による状況報告とを関連付けて管理する状況登録システムを得る。【解決手段】携帯電話１が、情報登録画面１１に入力された情報をＷＷＷサーバ２の情報登録サービス２１に送信すると、情報登録サービス２１は、ＤＢサーバ４の状況報告データベース４１にこれを保存し、ＷＷＷサーバ２からＣＴＩサーバ３に情報の受信を通知すると、ＣＴＩサーバ３の発信機能３１は、携帯電話１に電話をかけ、携帯電話１の通話機能１２との通話による音声を音声録音サービス３２により録音し、この録音した音声をＤＢサーバ４に送信すると、ＤＢサーバ４は、この音声を画面入力された情報と関連付けて状況報告データベース４１に保存するようにした。【選択図】図１
2007150550.tif 000002
【特許請求の範囲】
【請求項１】
携帯電話の画面に入力された入力情報を上記携帯電話からインターネットを介して受信するＷＷＷサーバ、上記携帯電話から携帯電話網を介して音声情報を受信するＣＴＩサーバ、および上記ＷＷＷサーバと上記ＣＴＩサーバとに接続され、上記入力情報および音声情報を関連付けて蓄積するＤＢサーバを備え、
上記携帯電話は、上記入力情報が入力される画面であり、上記入力された入力情報を上記ＷＷＷサーバに送信する情報登録画面を有し、上記ＷＷＷサーバは、上記携帯電話から送信された入力情報を受け付ける情報登録手段を有し、上記ＣＴＩサーバは、上記携帯電話との通話による音声情報を録音する音声録音手段を有し、上記ＤＢサーバは、上記ＷＷＷサーバの情報登録手段が受け付けた入力情報と上記ＣＴＩサーバの音声録音手段が録音した音声情報とが関連付けられた状況報告データを保管する状況報告データベースを有することを特徴とする状況登録システム。
【請求項２】
上記ＣＴＩサーバは、上記携帯電話に対して電話をかける発信手段を有し、上記発信手段は、上記ＷＷＷサーバが上記携帯電話から入力情報を受信したとき、上記ＷＷＷサーバからの通知により上記携帯電話に電話をかけることを特徴とする請求項１記載の状況登録システム。
【請求項３】
上記携帯電話から上記ＣＴＩサーバに電話をかけて通話し、上記ＣＴＩサーバが上記通話による音声情報を録音したとき、上記ＷＷＷサーバは、上記ＣＴＩサーバからの通知により上記携帯電話に入力情報の入力を促す上記情報登録画面を上記携帯電話に送信することを特徴とする請求項１記載の状況登録システム。
【請求項４】
上記携帯電話は、情報登録画面に入力された入力情報を保存した情報履歴を有し、上記携帯電話は、上記ＣＴＩサーバと通話するとともに、上記ＷＷＷサーバに上記情報履歴に保存した入力情報を送信することを特徴とする請求項１記載の状況登録システム。
【請求項５】
上記携帯電話は、上記ＷＷＷサーバに上記ＤＢサーバに登録された状況報告データを要求する情報要求手段を有し、上記ＣＴＩサーバは、状況報告データ及びこの状況報告データと関連する携帯電話の電話番号を対応付けたリストと、上記携帯電話に音声情報を配信する音声配信手段とを有し、上記ＷＷＷサーバは、上記携帯電話からの要求に基づき上記ＤＢサーバに保管された入力情報を取得して上記携帯電話に配信する情報配信手段を有し、
上記ＣＴＩサーバは、上記状況報告データが上記ＤＢサーバに保管されたとき、上記リストに基づき上記状況報告データに関連する上記携帯電話に上記状況報告データの音声情報を配信するとともに、上記音声情報を配信された携帯電話は、上記情報要求手段により上記状況報告データの入力情報を上記ＷＷＷサーバから取得することを特徴とする請求項１〜請求項４のいずれかに記載の状況登録システム。
【請求項６】
上記ＣＴＩサーバは、上記携帯電話からの電話による検索要求を録音する音声検索手段と、この音声検索手段が録音した検索要求をもとに上記ＤＢサーバの状況報告データベースより状況報告データを検索する音声検索エンジンとを有し、上記ＷＷＷサーバは、上記音声検索エンジンにより検索された結果を上記携帯電話に送信する情報検索手段を有し、
上記ＣＴＩサーバは、上記携帯電話からの電話による検索要求に応じて状況報告データを検索し、上記ＷＷＷサーバを経由して上記携帯電話に上記検索した状況報告データを送信するようにしたことを特徴とする請求項１〜請求項５のいずれかに記載の状況登録システム。
【発明の詳細な説明】
【技術分野】
【０００１】
この発明は、現場で発生した各種状況（情報）を携帯電話により報告する状況登録システムに関するものである。
【背景技術】
【０００２】
従来の携帯電話を使用して現場の状況を報告するシステムでは、音声データを別の装置にて作成後、携帯電話を使用して、インターネット網を介してＷＷＷサーバ等に登録している。（例えば、特許文献１参照）
【０００３】
【特許文献１】特開２００２−１２１７６２号公報（第４〜９頁、図１）
【発明の開示】
【発明が解決しようとする課題】
【０００４】
従来の携帯電話の電子メール、ＷＷＷブラウザ機能を利用して現場の各種状況（情報）をＷＷＷサーバに登録するシステムでは、写真や動画、位置情報に加えてコメントなどのテキスト情報の登録は、可能であるが、携帯電話のテンキーを使った入力は、不便であり、長文のコメント入力に適していないという課題があった。
一方、携帯電話からの情報登録をＣＴＩ（Ｃｏｍｐｕｔｅｒ  Ｔｅｌｅｐｈｏｎｙ  Ｉｎｔｅｇｒａｔｉｏｎ）技術を用いて実現する場合、音声でコメントをＣＴＩサーバに登録することができるが、現場写真等の付加情報を併せて管理することが難しいという課題があった。
また、携帯電話の電子メール、ＷＷＷブラウザ機能による状況報告と、音声による状況報告を独立したシステムで別個に管理するシステムも存在したが、２種類の状況報告（情報）の間の関連がわからなくなるという課題があった。
【０００５】
この発明は、上記のような課題を解決するためになされたものであり、携帯電話の画面に入力された状況報告と、音声による状況報告とを関連付けて管理する状況登録システムを得ることを目的にしている。
【課題を解決するための手段】
【０００６】
この発明に係わる状況登録システムにおいては、携帯電話の画面に入力された入力情報を携帯電話からインターネットを介して受信するＷＷＷサーバ、携帯電話から携帯電話網を介して音声情報を受信するＣＴＩサーバ、およびＷＷＷサーバとＣＴＩサーバとに接続され、入力情報および音声情報を関連付けて蓄積するＤＢサーバを備え、
携帯電話は、入力情報が入力される画面であり、入力された入力情報をＷＷＷサーバに送信する情報登録画面を有し、ＷＷＷサーバは、携帯電話から送信された入力情報を受け付ける情報登録手段を有し、ＣＴＩサーバは、携帯電話との通話による音声情報を録音する音声録音手段を有し、ＤＢサーバは、ＷＷＷサーバの情報登録手段が受け付けた入力情報とＣＴＩサーバの音声録音手段が録音した音声情報とが関連付けられた状況報告データを保管する状況報告データベースを有するものである。
【発明の効果】
【０００７】
この発明は、以上説明したように、携帯電話の画面に入力された入力情報を携帯電話からインターネットを介して受信するＷＷＷサーバ、携帯電話から携帯電話網を介して音声情報を受信するＣＴＩサーバ、およびＷＷＷサーバとＣＴＩサーバとに接続され、入力情報および音声情報を関連付けて蓄積するＤＢサーバを備え、
携帯電話は、入力情報が入力される画面であり、入力された入力情報をＷＷＷサーバに送信する情報登録画面を有し、ＷＷＷサーバは、携帯電話から送信された入力情報を受け付ける情報登録手段を有し、ＣＴＩサーバは、携帯電話との通話による音声情報を録音する音声録音手段を有し、ＤＢサーバは、ＷＷＷサーバの情報登録手段が受け付けた入力情報とＣＴＩサーバの音声録音手段が録音した音声情報とが関連付けられた状況報告データを保管する状況報告データベースを有するので、携帯電話の画面に入力された入力情報と、携帯電話の通話による音声情報とを関連付けた状況報告データを管理することができる。
【発明を実施するための最良の形態】
【０００８】
実施の形態１．
以下、本発明の実施の形態１を図を用いて説明する。
図１は、この発明の実施の形態１による状況登録システムを示すブロック図である。
図１において、状況登録システムは、状況報告を行う携帯電話１と、この携帯電話１とインターネット５を介して接続され、携帯電話１からの情報を受信するＷＷＷサーバ２と、携帯電話１と携帯電話網６により接続され、携帯電話１からの音声を録音するＣＴＩサーバ３と、ＷＷＷサーバ２とＣＴＩサーバ３に接続され、情報および音声を蓄積するＤＢ（データベース）サーバ４により構成される。
携帯電話１は、現場の各種情報（写真、動画、テキスト情報等）の入力とＷＷＷサーバ２への送信手段を持つ情報登録画面１１と、通話機能１２（通話手段）とを備えている。ＷＷＷサーバ２は、携帯電話１から送信された各種情報をインターネット５経由で受信する情報登録サービス２１（情報登録手段）を備えている。ＣＴＩサーバ３は、情報登録サービス２１からの音声登録要求をもとに携帯電話１に発信を行う発信機能３１（発信手段）と、携帯電話１の通話機能１２から受信した音声を録音する音声録音サービス３２（音声録音手段）とを備えている。ＤＢサーバ４は、情報登録サービス２１が受信した各種情報４１ａとＣＴＩサーバ３の音声録音サービス３２が録音した音声コメント４１ｂとを保存する状況報告データベース４１と、携帯電話１ごとのログインＩＤと電話番号を管理する携帯電話管理表４２とを持つ。
【０００９】
図２は、この発明の実施の形態１による状況登録システムの動作を示すフロー図（状態遷移図）である。
次に、状況登録システムの動作について図１と図２を用いて説明する。
まず、最初に携帯電話１から、情報登録サービス２１に電話番号とログインＩＤを通知するとともに、情報登録画面の要求を行う（Ｓ１０１）。情報登録サービス２１は、携帯電話管理表４２を参照して認証処理を行った後、情報登録画面を携帯電話１に送信する（Ｓ１０２）。携帯電話１において、現場の各種情報を情報登録画面１１で入力後、インターネット５経由でＷＷＷサーバ２の情報登録サービス２１に登録データを送信する（Ｓ１０３）。
送信された各種情報を受信した後、情報登録サービス２１は、ＤＢサーバ４に対してデータ登録の要求を行う（Ｓ１０４）。ＤＢサーバ４は、状況報告データベース４１に情報登録サービス２１から取得した各種情報４１ａを保存する（Ｓ１０５）。
【００１０】
次に、情報登録画面１１から情報登録サービス２１に音声登録要求を送信する（Ｓ１０６）。情報登録サービス２１は、ＣＴＩサーバ３にＳ１０１で取得した電話番号を通知するとともに、発信要求を送信する（Ｓ１０７）。ＣＴＩサーバ３の発信機能３１は、通知された電話番号を用いて携帯電話１に電話を発信する（Ｓ１０８）。携帯電話１は、ＣＴＩサーバ３からの電話を受信して通話を行う（Ｓ１０９）。
ＣＴＩサーバ３は、通話による音声を音声録音サービス３２にて録音し、ＤＢサーバ４に対して音声登録を行う（Ｓ１１０）。ＤＢサーバ４は、ＣＴＩサーバから取得した音声コメント（音声データ）４１ｂを、Ｓ１０５でＷＷＷサーバ２から登録された各種情報４１ａに関連付けして、状況報告データとして、状況報告データベース４１に保存する（Ｓ１１１）。
【００１１】
実施の形態１によれば、携帯電話の画面操作に基づき、携帯電話からＷＷＷサーバに登録情報を送信すると、ＣＴＩサーバが携帯電話に電話をかけることで、ユーザはＷＷＷブラウザで登録中の情報と関連付けされた音声コメントを登録することができる。
【００１２】
実施の形態２．
図３は、この発明の実施の形態２による状況登録システムを示すブロック図である。
図３において、１〜６、１１、１２、２１、３２、４１、４１ａ、４１ｂ、４２は図１におけるものと同一のものである。
実施の形態１では、ＣＴＩサーバ３から携帯電話１に電話をかけることで音声を登録する場合について述べたが、実施の形態２は、図３のように、携帯電話１よりＣＴＩサーバ３に電話をかけることにより音声を登録するとともに、ＷＷＷサーバ２経由で携帯端末１に情報登録画面を配信することで、現場の写真、動画、テキスト情報などの音声以外の各種情報についても登録を行うことができるようにした。
【００１３】
図４は、この発明の実施の形態２による状況登録システムの動作を示すフロー図（状態遷移図）である。
次に、実施の形態２による状況登録システムの動作について、図３と図４を用いて説明する。
まず最初に、携帯電話１よりＣＴＩサーバ３に電話を発信する（Ｓ２０１）。電話が繋がったら携帯電話１とＣＴＩサーバ３とで通話を行う（Ｓ２０２）。ＣＴＩサーバ３は、音声録音サービス３２により通話音声を録音して、ＤＢサーバ４へ音声登録を行う（Ｓ２０３）。ＤＢサーバ４は、状況報告データベース４１に録音した音声コメント４１ｂを保存する（Ｓ２０４）。
【００１４】
次に、ＣＴＩサーバ３は、音声録音サービス３２からＷＷＷサーバ２の情報登録サービス２１に対して画面配信要求を送信する（Ｓ２０５）。情報登録サービス２１は、携帯電話１に情報登録画面を送信する（Ｓ２０６）。携帯電話１は、情報登録サービス２１から送信された情報登録画面１１を表示する（Ｓ２０７）。表示された情報登録画面１１に現場の状況の各種情報を入力後、登録データをインターネット５経由でＷＷＷサーバ２の情報登録サービス２１に送信する（Ｓ２０８）。
情報登録サービス２１は、ＤＢサーバ４に対して、送信された各種情報４１ａのデータ登録の要求を行う（Ｓ２０９）。ＤＢサーバ４は、音声コメント４１ｂが登録されている状況報告データベース４１に各種情報４１ａを関連付けて状況報告データとして保存する（Ｓ２１０）。
【００１５】
実施の形態２によれば、携帯電話からＣＴＩサーバに電話をかけることで、音声の登録を行うと同時に、ＷＷＷサーバから情報登録画面を携帯電話に自動送信することができるため、複雑な操作なしに画像、動画、コメントなどの各種情報を必要な時間の音声コメントと組み合わせて登録することができる。
【００１６】
実施の形態３．
図５は、この発明の実施の形態３による状況登録システムを示すブロック図である。
図５において、１〜６、１１、１２、２１、３２、４１、４１ａ、４１ｂ、４２は図１におけるものと同一のものである。図５では、携帯電話１にデータ情報履歴１６（情報履歴）を設けている。
実施の形態１では、ＣＴＩサーバ３から携帯電話１に電話をかけることで音声を登録する場合について述べたが、実施の形態３は、図５のように、携帯電話１に情報登録画面１１を搭載し、これにより随時、現場の各種情報を作成し、データ情報履歴１６に保存するようにした。
また、データ情報履歴１６に保存した各種情報を情報登録画面１１からＷＷＷサーバ２に送信しながら、同時にＣＴＩサーバ３に電話をかけることにより音声を登録できるようになっている。
【００１７】
図６は、この発明の実施の形態３による状況登録システムの動作を示すフロー図（状態遷移図）である。
次に、動作について説明する。
まず最初に、携帯電話１に、情報登録画面１１を表示させる（Ｓ３０１）。各種情報を情報登録画面１１より入力して、データ情報履歴１６に保存する（Ｓ３０２）。複数の現場状況の情報を保存する場合は、この操作を繰り返して行う。情報登録画面１１により保存した各種情報を呼び出し、表示する（Ｓ３０３）。情報登録画面１１よりＣＴＩサーバ３に電話をかける（Ｓ３０４）。携帯電話１は、ＣＴＩサーバ３と電話応答（通話）を行う（Ｓ３０５）。
ＣＴＩサーバ３は、音声録音サービス３２により音声の録音を行い、ＤＢサーバ４へ音声コメント４１ｂの登録を行う（Ｓ３０６）。ＤＢサーバ４は、状況報告データベース４１に、録音した音声コメント４１ｂを保存する（Ｓ３０７）。
【００１８】
次に、携帯端末１の情報登録画面１１により、各種情報をインターネット５経由でＷＷＷサーバ２の情報登録サービス２１に送信する（Ｓ３０８）。送信された各種情報について、情報登録サービス２１により、ＤＢサーバ４に対してデータ登録の要求を行う（Ｓ３０９）。ＤＢサーバ４は、端末ＩＤより登録中の音声コメント４１ｂが登録されている状況報告データベース４１に、各種情報４１ａを関連付けて状況報告データとして保存する（Ｓ３１０）。
【００１９】
実施の形態３によれば、携帯電話に各種情報を入力、保存することができる画面をあらかじめ搭載しておくことにより、後で保存した各種情報を呼び出し、ＣＴＩサーバに電話をかけて音声の登録を行いながら、ＷＷＷサーバに各種情報を携帯電話から送信することができる。
そのため、携帯電話の電波が通じない（発信／受信できない）現場においても現場の情報を収集することができるとともに、後で携帯電話の電波が通じる場所から任意の時間に、簡単に現場の各種情報を長文の音声コメントと組み合わせて登録することができる。
【００２０】
実施の形態４．
図７は、この発明の実施の形態４による状況登録システムを示すブロック図である。
図７において、１〜６、１２、４１、４１ａ、４１ｂ、４２は図１におけるものと同一のものである。図７では、携帯電話１に情報要求機能１３（情報要求手段）を設け、ＷＷＷサーバ２に情報配信サービス２２（情報配信手段）を設け、ＣＴＩサーバ３に、音声配信サービス３３（音声配信手段）と、この音声配信サービス３３によって参照され、配信する状況報告ＩＤとこの状況報告ＩＤに関連する携帯電話の電話番号とを対応付けたリスト３４とを設けている。
実施の形態１では、ＣＴＩサーバ３から携帯電話１に電話をかけることで音声を登録する場合について述べたが、実施の形態４は、図７に示すように、登録した状況報告をこの状況報告に関連した携帯電話１に配信するために、ＣＴＩサーバ３には携帯端末１に電話を発信するための音声配信サービス３３及びこの音声配信サービス３３によって参照され、状況報告ＩＤとこの状況報告ＩＤに関連する携帯電話の電話番号とを対応付けたリスト３４と、携帯電話１にはＣＴＩサーバ３からの発信により各種情報を取得する要求を行う情報要求機能１３と、ＷＷＷサーバ２には携帯電話１からの情報要求をもとに各種情報を送信する情報配信サービス２２を加えたものである。
【００２１】
図８は、この発明の実施の形態４による状況登録システムの動作を示すフロー図（状態遷移図）である。
次に、動作について説明する。
ＣＴＩサーバ３は、音声配信サービス３３により、配信する携帯電話の電話番号と配信する状況報告ＩＤ（状況報告データベース４１から配信する状況報告のデータを任意に決定することができるＩＤ、状況報告番号等）のリスト３４をもとに、携帯電話１に電話かける（Ｓ４０１）。携帯電話１は、ＣＴＩサーバ３からの電話に応答し、通話を通じて、自身に関連する状況報告データ中の音声コメント４１ｂの再生を要求する（Ｓ４０２）。
音声配信サービス３３は、ＤＢサーバ４に配信する音声コメント４１ｂを要求する（Ｓ４０３）。ＤＢサーバ４は、状況報告データベース４１の音声コメント４１ｂを取得する（Ｓ４０４）。ＤＢサーバ４は、取得した音声コメント４１ｂをＣＴＩサーバ３の音声配信サービス３３に送信する（Ｓ４０５）。音声配信サービス３３は、携帯電話１で音声コメント４１ｂを再生する（Ｓ４０６）。
【００２２】
次に、携帯電話１は、ＣＴＩサーバ３からの電話を受信後、音声に関係する各種情報（画像、動画、コメント等）を取得するための情報要求機能１３を起動（情報要求画面を表示）する（Ｓ４０７）。情報要求画面からＷＷＷサーバ２に各種情報の要求を行う（Ｓ４０８）。ＷＷＷサーバ２の情報配信サービス２２は、ＣＴＩサーバ３の音声配信サービス３３にデータの要求を行う（Ｓ４０９）。
音声配信サービス３３は、ＤＢサーバ４に音声コメント４１ｂに関係する各種情報４１ａのデータを要求する（Ｓ４１０）。ＤＢサーバ４は、状況報告データベース４１より各種情報４１ａを取得する（Ｓ４１１）。ＤＢサーバ４は、取得した各種情報４１ａをＣＴＩサーバ３に送信する（Ｓ４１２）。音声配信サービス３３は、ＷＷＷサーバ２の情報配信サービス２２に各種情報を送信する（Ｓ４１３）。ＷＷＷサーバ２（情報配信サービス２２）は、携帯電話１に各種情報を送信する（Ｓ４１４）。情報要求機能１３は、受信した各種情報を表示する（Ｓ４１５）。
【００２３】
実施の形態４によれば、現場の状況報告が送信された時に、関係者の携帯電話に電話をかけて現場の状況を即座に音声で伝えることができるとともに、携帯電話から音声に関係した各種情報（画像、動画、コメント等）も簡単に取得し、表示することができる。
【００２４】
実施の形態５．
図９は、この発明の実施の形態５による状況登録システムを示すブロック図である。
図９において、１〜６、１２、４１、４１ａ、４１ｂ、４２は図１におけるものと同一のものである。図９では、携帯電話１に情報受信機能１４と情報表示機能１５（情報表示手段）を設け、ＷＷＷサーバ２に情報検索サービス２３（情報検索手段）を設け、ＣＴＩサーバ３に音声検索エンジン３５と音声検索サービス３６（音声検索手段）を設けている。
実施の形態１では、ＣＴＩサーバ３から携帯電話１に電話をかけることで音声を登録する場合について述べたが、実施の形態５は、携帯電話１からの音声による要求により状況報告データベース４１のデータを検索できるようにしたものである。
図９に示すように、ＣＴＩサーバ３に、携帯電話１からの電話の音声を録音する音声検索サービス３６と、音声検索サービス３６が録音した音声をもとに、状況報告データベース４１より実際にデータを検索する音声検索エンジン３５を設け、ＷＷＷサーバ２には、検索した結果を携帯電話１に送信する情報検索サービス２３を設け、携帯電話１には、送信されてきた検索結果の状況報告データを受信する情報受信機能１４と、情報受信機能１４により受信したデータを表示する情報表示機能１５を追加したものである。
【００２５】
図１０は、の発明の実施の形態５による状況登録システムの動作を示すフロー図（状態遷移図）である。
次に、動作について説明する。
携帯電話１からＣＴＩサーバ３に電話をかける（Ｓ５０１）。電話応答により検索したい状況報告の内容（登録日時、報告者、コメントの内容、音声コメントの内容等）を音声で伝える（Ｓ５０２）。音声検索サービス３６は、電話での音声を録音し、音声検索エンジン３５に検索の要求を行う（Ｓ５０３）。音声検索エンジン３５は、音声をもとにＤＢサーバ４に対し、音声に一致する内容が記載されている状況報告（各種情報）の検索を行う（Ｓ５０４）。
ＤＢサーバ４は、状況報告データベース４１より一致する状況報告のデータを取得する（Ｓ５０５）。ＤＢサーバ４は、検索結果を音声検索エンジン３５に送信する（Ｓ５０６）。音声検索エンジン３５は、ＷＷＷサーバ２の情報検索サービス２３に検索結果を送信する（Ｓ５０７）。ＷＷＷサーバ２の情報検索サービス２３は、検索結果を携帯電話１の情報受信機能１４に送信する（Ｓ５０８）。携帯電話１の情報受信機能１４は、情報表示機能１５にてデータの表示を行う（Ｓ５０９）。
【００２６】
実施の形態５によれば、携帯電話のテンキーを使って検索文字を入力することなく、ＣＴＩサーバとの電話応答によって検索したい状況報告に含まれるキーワードを携帯電話側から音声で伝えるだけで、簡単に過去の状況報告を検索し、検索結果を携帯電話に自動的に表示させることができる。
【図面の簡単な説明】
【００２７】
【図１】この発明の実施の形態１による状況登録システムを示すブロック図である。
【図２】この発明の実施の形態１による状況登録システムの動作を示すフロー図（状態遷移図）である。
【図３】この発明の実施の形態２による状況登録システムを示すブロック図である。
【図４】この発明の実施の形態２による状況登録システムの動作を示すフロー図（状態遷移図）である。
【図５】この発明の実施の形態３による状況登録システムを示すブロック図である。
【図６】この発明の実施の形態３による状況登録システムの動作を示すフロー図（状態遷移図）である。
【図７】この発明の実施の形態４による状況登録システムを示すブロック図である。
【図８】この発明の実施の形態４による状況登録システムの動作を示すフロー図（状態遷移図）である。
【図９】この発明の実施の形態５による状況登録システムを示すブロック図である。
【図１０】この発明の実施の形態５による状況登録システムの動作を示すフロー図（状態遷移図）である。
【符号の説明】
【００２８】
１  携帯電話
２  ＷＷＷサーバ
３  ＣＴＩサーバ
４  ＤＢサーバ
５  インターネット
６  携帯電話網
１１  情報登録画面
１２  通話機能
１３  情報要求機能
１４  情報受信機能
１５  情報表示機能
１６  データ情報履歴
２１  情報登録サービス
２２  情報配信サービス
２３  情報検索サービス
３１  発信機能
３２  音声録音サービス
３３  音声配信サービス
３４  リスト
３５  音声検索エンジン
３６  音声検索サービス
４１  状況報告データベース
４１ａ  各種情報
４１ｂ  音声コメント
４２  携帯電話管理表
【図１】
2007150550.tif 000003
【図２】
2007150550.tif 000004
【図３】
2007150550.tif 000005
【図４】
2007150550.tif 000006
【図５】
2007150550.tif 000007
【図６】
2007150550.tif 000008
【図７】
2007150550.tif 000009
【図８】
2007150550.tif 000010
【図９】
2007150550.tif 000011
【図１０】
2007150550.tif 000012